(57)【要約】【課題】外部装置と通信を実行するための情報処理装置等を提供する。【解決手段】ＭＦＰと通信端末装置との距離が所定距離以内になることに応じてＮＦＣ方式の無線通信が開始されることを条件として、ＭＦＰは、記憶方法の指定や記憶領域の指定の入力を受け付ける入力画面をパネルに表示させる。ＭＦＰは、ＮＦＣ方式の無線通信が開始された後に、通信端末装置から出力されるファイルを取得する。記憶方法の指定や記憶領域の指定の入力、及び、ファイルの取得が完了した場合に、ＭＦＰは、取得したファイルに対して、記憶方法の指定内容や記憶領域の指定内容に基づくファイル記憶処理を実行する。【選択図】図２
2014194594.tif 000002
【特許請求の範囲】
【請求項１】
第１の通信方式により、外部装置と第１種の無線通信を行うことが可能な第１種の通信インターフェースと、
プロセッサと、
を備える情報処理装置であって、
前記プロセッサは、
前記外部装置と前記第１種の通信インターフェースとの距離が所定距離以内になることに応じて前記第１種の無線通信が開始されることを条件として、通信データの処理内容に関連する情報である関連情報の入力を受け付ける入力画面を表示部に表示させる第１表示制御手段と、
前記第１種の無線通信が開始された後に、前記外部装置から出力される通信データを取得する第１取得手段と、
前記関連情報の入力、及び、前記第１取得手段による前記通信データの取得が完了した場合に、取得した前記通信データに対して前記関連情報に基づくデータ処理を実行するデータ処理手段と、
して機能することを特徴とする情報処理装置。
【請求項２】
第２の通信方式により、前記外部装置と第２種の無線通信を行うことが可能な第２種の通信インターフェースをさらに備え、
前記プロセッサは、第１設定情報を前記第１種の無線通信を利用して前記外部装置と通信することによって、前記第２種の無線通信を前記外部装置との間で開始する通信手段としてさらに機能し、
前記第１取得手段は、前記第２種の無線通信を用いて前記通信データを取得することを特徴とする請求項１に記載の情報処理装置。
【請求項３】
前記データ処理の内容が、前記情報処理装置がデータを書き込み可能な複数の記憶領域のうちから選択された選択記憶領域に前記通信データを記憶させる記憶処理であることを示す処理識別情報を、前記外部装置から取得する第２取得手段として前記プロセッサはさらに機能し、
前記処理識別情報は、前記第１種の無線通信が開始された後に取得され、
前記第１表示制御手段は、前記処理識別情報を取得することに応じて、前記選択記憶領域の選択を受け付ける前記入力画面を前記表示部に表示させ、
前記データ処理手段は、前記第１表示制御手段で選択された前記選択記憶領域に、前記通信データを記憶させることを特徴とする請求項１または２に記載の情報処理装置。
【請求項４】
前記記憶部は、第１記憶領域と、前記第１記憶領域よりセキュリティ性が高い第２記憶領域とを備えており、
前記第１表示制御手段は、取得した通信データが、通常の通信データよりもセキュリティ性が高いデータである特定通信データである場合には、前記特定通信データの記憶先として前記第２記憶領域を選択するための第１画像を前記入力画面に表示させ、
前記データ処理手段は、前記第１画像が選択されることに応じて、前記特定通信データを前記第２記憶領域に記憶させることを特徴とする請求項３に記載の情報処理装置。
【請求項５】
前記通信データの数を示すデータ数情報を、前記外部装置から取得する第３取得手段として前記プロセッサはさらに機能し、
前記データ数情報は、前記第１種の無線通信が開始された後に取得され、
前記第１表示制御手段は、前記データ数情報が前記通信データが複数存在することを示している場合には、複数の前記通信データを同一の記憶領域に記憶させるか、複数の前記通信データを２以上の記憶領域に分けて記憶させるかの選択を受け付ける前記入力画面を前記表示部に表示させることを特徴とする請求項３または４に記載の情報処理装置。
【請求項６】
前記情報処理装置は、外部記憶部が着脱可能とされており、
前記第１表示制御手段は、前記選択記憶領域として前記外部記憶部を選択する操作を受け付ける前記入力画面を前記表示部に表示させ、
前記外部記憶部が前記選択記憶領域として選択された場合に、前記外部記憶部が使用可能な状態ではない場合には、前記外部記憶部を使用可能な状態にすることを指示する情報を前記表示部に表示させる第２表示制御手段として前記プロセッサがさらに機能することを特徴とする請求項３〜５の何れか１項に記載の情報処理装置。
【請求項７】
前記第１取得手段が取得した前記通信データの数が、前記データ数情報によって示されているデータ数に到達することに応じて、前記通信データを取得する処理が完了したことを報知する情報を、前記第２種の無線通信を用いて前記外部装置へ出力することを特徴とする請求項５に記載の情報処理装置。
【請求項８】
前記第１表示制御手段は、前記第２種の無線通信が開始されることに応じて、前記入力画面を前記表示部に表示させることを特徴とする請求項２に記載の情報処理装置。
【請求項９】
前記データ処理の内容が、印刷処理であることを示す処理識別情報を、前記外部装置から取得する第２取得手段として前記プロセッサはさらに機能し、
前記処理識別情報は、前記第１種の無線通信が開始された後に取得され、
前記データ処理手段は、前記通信データを用いた前記印刷処理を前記情報処理装置が備える印刷部に実行させることを特徴とする請求項１または２に記載の情報処理装置。
【請求項１０】
前記第１取得手段は、前記第１種の無線通信を用いて前記通信データを取得することを特徴とする請求項１に記載の情報処理装置。
【請求項１１】
前記第１種のインターフェースは近距離無線通信のためのインターフェースであり、
前記第２種の通信インターフェースは無線ＬＡＮ通信のためのインターフェースであり、
前記第１設定情報はＳＳＩＤ（Service Set Identifier）を含んでいることを特徴とする請求項２に記載の情報処理装置。
【請求項１２】
第１の通信方式により、外部装置と第１種の無線通信を行うことが可能な第１種の通信インターフェースと、
プログラムを読み取るプロセッサと、
を備える情報処理装置の前記プログラムであって、
前記外部装置と前記第１種の通信インターフェースとの距離が所定距離以内になることに応じて前記第１種の無線通信が開始されることを条件として、通信データの処理内容に関連する情報である関連情報の入力を受け付ける入力画面を表示部に表示させる第１表示制御手段と、
前記第１種の無線通信が開始された後に、前記外部装置から出力される通信データを取得する第１取得手段と、
前記関連情報の入力、及び、前記第１取得手段による前記通信データの取得が完了した場合に、取得した前記通信データに対して前記関連情報に基づくデータ処理を実行するデータ処理手段と、
して前記プロセッサを機能させることを特徴とするプログラム。
【発明の詳細な説明】
【技術分野】
【０００１】
本明細書によって開示される技術は、外部装置と通信を実行するための情報処理装置およびプログラムに関する。
【背景技術】
【０００２】
特許文献１には、クライアントコンピュータにおいて、サーバへのアップロード対象のドキュメントが選択されると、サーバがアップロード先候補フォルダ一覧をクライアントコンピュータに表示させるデータ処理システムが開示されている。当該データ処理システムでは、クライアントコンピュータにおいて、アップロード先候補フォルダ一覧からアップロード先のフォルダが選択されることに応じて、ドキュメントのアップロード処理が開始される。
【先行技術文献】
【特許文献】
【０００３】
【特許文献１】特開２００６−３３１０７２
【発明の概要】
【発明が解決しようとする課題】
【０００４】
特許文献１に記載のデータ処理システムでは、アップロード先フォルダを選択する操作が完了した後に、ドキュメントのアップロード処理が開始される。すると例えば、アップロード先フォルダを選択する操作の入力に時間がかかる場合には、アップロード先フォルダを選択する操作を開始してからドキュメントのアップロード処理が完了するまでに必要なトータル時間が長くなってしまい、ユーザの操作性が低下することがある。
【課題を解決するための手段】
【０００５】
本明細書に記載されている情報処理装置は、第１の通信方式により、外部装置と第１種の無線通信を行うことが可能な第１種の通信インターフェースと、プロセッサと、を備える情報処理装置であって、プロセッサは、外部装置と第１種の通信インターフェースとの距離が所定距離以内になることに応じて第１種の無線通信が開始されることを条件として、通信データの処理内容に関連する情報である関連情報の入力を受け付ける入力画面を表示部に表示させる第１表示制御手段と、第１種の無線通信が開始された後に、外部装置から出力される通信データを取得する第１取得手段と、関連情報の入力、及び、第１取得手段による通信データの取得が完了した場合に、取得した通信データに対して関連情報に基づくデータ処理を実行するデータ処理手段と、して機能することを特徴とする。
【０００６】
本明細書に開示されている技術では、外部装置を情報処理装置に近接させることで、当該情報処理装置を、外部装置と通信データを通信する情報処理装置である通信先情報処理装置として決定することができる。そして、通信先情報処理装置が決定されたことにより、通信データの通信処理に移行することができる。また、通信先情報処理装置は、通信処理と並行して、関連情報の入力を受け付けることができる。これにより、通信先情報処理装置が決定してから関連情報の入力が完了するまでの間の入力待機期間を、通信データの通信時間として活用することができる。よって、通信データのトータルの通信時間を短縮化することができるため、ユーザの操作性向上させることが可能となる。
【０００７】
本明細書に記載されている情報処理装置では、第２種の無線通信を用いて通信データを取得することができる。第２種の無線通信の方が第１種の無線通信よりも通信速度が速い場合には、通信データの通信時間を短縮化することが可能となる。
【０００８】
本明細書に記載されている情報処理装置では、外部装置から送信した通信データを、情報処理装置が備える選択記憶領域に記憶させる処理を行うことが可能となる。
【０００９】
本明細書に記載されている情報処理装置では、セキュリティ性が高いデータを自動的にセキュリティの高い記憶領域に記憶させることが可能となる。よって、ユーザがファイルのセキュリティ性を考慮して記憶領域を選択する必要がないため、ユーザの利便性を高めることができる。
【００１０】
本明細書に記載されている情報処理装置では、通信データが複数存在する場合には、複数の通信データを同一の記憶領域に記憶させることができる。これにより、選択記憶領域を選択する操作を簡略化することができるため、選択記憶領域を選択するために必要な時間を短縮化することが可能となる。
【００１１】
本明細書に記載されている情報処理装置では、外部記憶部に通信データを確実に記憶させることが可能となる。
【００１２】
本明細書に記載されている情報処理装置では、外部装置が情報処理装置から離れている場合においても、外部装置を使用しているユーザへ、通信データの通信が完了したことを報知することが可能となる。
【００１３】
本明細書に記載されている情報処理装置では、入力画面を表示部に表示することによって、第２種の無線通信が開始されたことをユーザに報知することが可能となる。
【００１４】
本明細書に記載されている情報処理装置では、外部装置から送信した通信データを、情報処理装置が備える印刷部に印刷させる処理を行うことが可能となる。
【００１５】
本明細書に記載されている情報処理装置では、第１種の無線通信を用いて通信データを取得することができる。第１種の無線通信に基づいて第２種の無線通信を確立し、確立した第２種の無線通信を用いて通信データを取得する場合に比して、第２種の無線通信を確立する処理を省略することができるため、通信処理の簡略化が可能となる。
【００１６】
本明細書に記載されている情報処理装置では、近距離無線通信と無線ＬＡＮ通信とを用いて、情報処理装置と外部装置との間の通信を実行することができる。
【００１７】
なお、上記の情報処理装置を実現するためのプログラムも、新規で有用である。
【図面の簡単な説明】
【００１８】
【図１】ネットワークの構成を示すブロック図である。
【図２】メイン処理を説明するフロー図である。
【図３】ファイル記憶処理を説明するフロー図である。
【図４】ファイル記憶処理を説明するフロー図である。
【図５】データ受信処理を説明するフロー図である。
【図６】記憶方法指定処理を説明するフロー図である。
【図７】記憶領域選択処理を説明するフロー図である。
【図８】通信端末装置の動作を説明するフロー図である。
【図９】第１の記憶方法指定画面の表示例である。
【図１０】第２の記憶方法指定画面の表示例である。
【図１１】第１の記憶領域選択画面の表示例である。
【図１２】第２の記憶領域選択画面の表示例である。
【図１３】第３の記憶領域選択画面の表示例である。
【図１４】第４の記憶領域選択画面の表示例である。
【図１５】ネットワークの動作具体例を説明するシーケンス図である。
【発明を実施するための形態】
【００１９】
＜ネットワーク１０の構成＞
図１は、ネットワーク１０の構成を示すブロック図である。ネットワーク１０は、通信端末装置１００、ＭＦＰ５１、第１アクセスポイント５０１、を備えている。ここで、ＭＦＰとは、印刷機能、スキャン機能、コピー機能を備える多機能周辺装置（Multifunction Peripheralの略）である。
【００２０】
通信端末装置１００のＮＦＣ通信Ｉ／Ｆ１１２は、ＮＦＣ（Near Field Communicationの略）方式の無線通信１５３を介して、ＭＦＰ５１のＮＦＣ通信Ｉ／Ｆ３６と通信を行うことができる。本実施例では、ＩＳＯ／ＩＥＣ２１４８１又は１８０９２の国際標準規格に基づいて、ＮＦＣ方式に従った無線通信が実行される。
【００２１】
通信端末装置１００の無線ＬＡＮ＿Ｉ／Ｆ１０５は、無線ＬＡＮ方式の無線通信１５１および１５４を介して、ＭＦＰ５１の無線ＬＡＮ＿Ｉ／Ｆ３４とインフラストラクチャーモードの通信を行うことができる。また、無線ＬＡＮ＿Ｉ／Ｆ１０５は、ＷｉＦｉ  Ｄｉｒｅｃｔ（以下、ＷＦＤと記載する）方式の無線通信１５５を介して、ＭＦＰ５１の無線ＬＡＮ＿Ｉ／Ｆ３４と直接に通信を行うことができる。通信端末装置１００は、ＷＦＤ方式に従ってＭＦＰ５１との接続を確立することによって、ＷＦＤネットワークを構築することができる。ＷＦＤでは、ＩＥＥＥ（The Institute of Electrical and Electronics Engineers, Inc.の略）の８０２．１１の規格、及び、それに準ずる規格（例えば８０２．１１ａ、１１ｂ、１１ｇ、１１ｎ等）に基づいて、無線通信が実行される。通信端末装置１００は、プリント＆スキャンアプリケーション１２１を実行することで、無線通信を介してＭＦＰ５１へ、１以上のファイルを送信することができる。また、通信端末装置１００は、送信したファイルを、ＭＦＰ５１に記憶させたり、ＭＦＰ５１に印刷させたりすることができる。
【００２２】
＜通信端末装置１００の構成＞
通信端末装置１００は、例えば携帯電話や携帯端末装置などの携帯型の装置である。通信端末装置１００は、表示部１０２、タッチパネル１０３、入力Ｉ／Ｆ１０４、無線ＬＡＮ＿Ｉ／Ｆ１０５、ＮＦＣ通信Ｉ／Ｆ１１２、ＣＰＵ（Central Processing Unitの略）１０６、ＲＯＭ（Read Only Memoryの略）１０７、ＲＡＭ（Random Access Memoryの略）１０８、記憶部１０９、などを備えており、これらは入出力ポート１１０を介して互いに接続されている。
【００２３】
表示部１０２は、ＣＰＵ１０６から出力される画信号を受信し、受信した画信号に基づく画像を表示する。表示部１０２としては、例えばＬＣＤや、有機ＥＬパネルなどを用いることができる。タッチパネル１０３は透明な部材により形成され、表示部１０２の表面を覆うようにして配設されている。タッチパネル１０３は、ユーザの指などによりタッチされた位置を検出し、検出した位置情報をＣＰＵ１０６へ出力する。入力Ｉ／Ｆ１０４は、例えば操作ボタンである。
【００２４】
ＮＦＣ通信Ｉ／Ｆ１１２は、ＮＦＣ方式の無線通信１５３を実行するためのインターフェースである。ＮＦＣ方式の無線通信１５３を確立するためには、通信設定のための各種の情報（例：ＩＰアドレス、ＳＳＩＤなど）は不要である。無線ＬＡＮ＿Ｉ／Ｆ１０５は、無線ＬＡＮ方式の無線通信１５１および１５５を実行するためのインターフェースである。無線ＬＡＮ方式の無線通信１５１および１５５の通信可能な距離は、ＮＦＣ方式の無線通信１５３の通信可能な距離よりも大きい。また、無線ＬＡＮ方式の無線通信１５１および１５５の通信速度は、ＮＦＣ方式の無線通信１５３の通信速度よりも速い。
【００２５】
ＣＰＵ１０６は、記憶部１０９に記憶されるプログラムを実行する。ＲＡＭ１０８は、ＣＰＵ１０６の処理に必要な情報を一時的に記憶する。記憶部１０９は、フラッシュメモリ、ＨＤＤ（ハードディスクドライブの略）、ＣＰＵ１０６が備えるバッファなどが組み合わされて構成されている。記憶部１０９は、ＷＦＤ接続設定情報や、各種のデータファイルなどを記憶する。ＷＦＤ接続設定情報の内容については後述する。また記憶部１０９は、プログラム１２０を記憶している。プログラム１２０は、プリント＆スキャンアプリケーション１２１（以下、アプリケーション１２１と記載する）、および、オペレーティングシステム１２４（以下、ＯＳ１２４と記載する）を含んでいる。ＣＰＵ１０６は、プログラム１２０に従って処理を実行する。
【００２６】
アプリケーション１２１は、通信端末装置１００からＭＦＰ５１等へ印刷命令を送信する処理などを、ＣＰＵ１０６に実行させるためのアプリケーションである。ＯＳ１２４は、アプリケーション１２１等に共通して利用される、基本的な機能を提供するプログラムである。ＯＳ１２４は、無線ＬＡＮ＿Ｉ／Ｆ１０５やＮＦＣ通信Ｉ／Ｆ１１２に無線通信を実行させるためのプログラム等を含んでいる。またＯＳ１２４は、各種のハードウェアが取得した情報を各プログラムが取得するための、もしくは、各プログラムが各種ハードウェアに指示をするためのＡＰＩ（Application Programming Interfaceの略）を提供するプログラムでもある。
【００２７】
＜ＭＦＰ５１の構成＞
ＭＦＰ５１の構成について説明する。ＭＦＰ５１は、ＣＰＵ３２、記憶部３３、外部記憶部３５、無線ＬＡＮ＿Ｉ／Ｆ３４、ＮＦＣ通信Ｉ／Ｆ３６、ボタン入力部３８、パネル３９、プリンタ１９、スキャナ２０、を主に備えている。これらの構成要素は、入出力ポート４３を介して互いに通信可能とされている。
【００２８】
ＣＰＵ３２は、記憶部３３に記憶されるプログラム２１を実行する。記憶部３３は、ＲＡＭ、ＲＯＭ、フラッシュメモリ、ＨＤＤ（ハードディスクドライブの略）、ＣＰＵ７２が備えるバッファなどが組み合わされて構成されている。記憶部３３は、プログラム２１を記憶する。プログラム２１は、ＯＳ２９等を含んでいる。また記憶部３３は、ファイル数カウント値Ｄ、記憶領域カウント値Ｕ、処理識別情報、記憶先領域情報、記憶方法識別情報、などを記憶する。これらの情報の内容については、後述する。
【００２９】
記憶部３３は、通常記憶領域２３、セキュア記憶領域２４、一時記憶領域２６、をさらに備えている。通常記憶領域２３およびセキュア記憶領域２４は、各種のデータファイルを記憶するための領域である。通常記憶領域２３およびセキュア記憶領域２４は、フラッシュメモリなどの不揮発性メモリ内の記憶領域であってもよい。セキュア記憶領域２４は、通常記憶領域２３よりもセキュリティ性が高い記憶領域である。例えば、セキュア記憶領域２４内に記憶されているファイルにアクセスするためには、予め定められたパスワードを入力する必要があってもよい。一時記憶領域２６は、通信端末装置１００から受信したデータを通常記憶領域２３、セキュア記憶領域２４、外部記憶領域２５などに記憶させる前に、一時的に記憶させておく領域である。一時記憶領域２６は、ＲＡＭなどの揮発性メモリ内の記憶領域であってもよい。
【００３０】
外部記憶部３５は、取外し可能な記憶部である。外部記憶部３５の一例としては、メモリーカードやＵＳＢメモリなどの、不揮発性メモリが挙げられる。外部記憶部３５は、外部記憶領域２５を備えている。外部記憶領域２５は、各種のデータファイルを記憶するための領域である。
【００３１】
ＮＦＣ通信Ｉ／Ｆ３６は、ＮＦＣ方式の無線通信１５３を実行するためのインターフェースである。無線ＬＡＮ＿Ｉ／Ｆ３４は、無線ＬＡＮ方式の無線通信１５４、１５５を実行するためのインターフェースである。ボタン入力部３８は、ＭＦＰ５１の各機能を実行するためのキーである。ボタン入力部３８は、タッチパネルとして、パネル３９と一体に構成されていてもよい。パネル３９は、ＭＦＰ５１の各種機能情報を表示する。プリンタ１９は、記憶部３３に記憶されているファイルを用いて印刷を実行する部位である。スキャナ２０は、読み取りを実行する部位である。
【００３２】
＜ＭＦＰ５１の動作＞
ＭＦＰ５１で行われるメイン処理を、図２のフローを用いて説明する。図２のフローは、ＭＦＰ５１の電源が投入されることに応じて開始される。
【００３３】
Ｓ２１２においてＣＰＵ３２は、待機画面をパネル３９に表示する。Ｓ２１６においてＣＰＵ３２は、通信端末装置１００がＭＦＰ５１にタッチされたか否かを判断する。具体的には、通信端末装置１００に備えられているＮＦＣ通信Ｉ／Ｆ１１２が、ＭＦＰ５１に備えられているＮＦＣ通信Ｉ／Ｆ３６を中心とする所定距離内に近接したか否かを判断する。所定距離は、例えば１０ｃｍ程度であってもよい。Ｓ２１６において否定判断される場合（Ｓ２１６：ＮＯ）にはＳ２１６へ戻り、肯定判断される場合（Ｓ２１６：ＹＥＳ）にはＳ２１７へ進む。
【００３４】
Ｓ２１７においてＣＰＵ３２は、ＮＦＣ通信Ｉ／Ｆ３６に、ＮＦＣ方式の無線通信１５３を確立させる。Ｓ２１８においてＣＰＵ３２は、ＮＦＣ方式の無線通信１５３を介して通信端末装置１００へ、ＷＦＤ接続設定情報を送信する。ＷＦＤ接続設定情報は、ＷＦＤ方式の無線通信１５５を確立するために用いられる情報である。ＷＦＤ接続設定情報に含まれる情報の一例としては、指定ＳＳＩＤ（Service Set Identifierの略）が挙げられる。指定ＳＳＩＤは、ＭＦＰ５１によって指定されたＳＳＩＤである。指定ＳＳＩＤは、発行されるたびに異なる文字列を有するＳＳＩＤである、ワンタイムＳＳＩＤであってもよい。
【００３５】
Ｓ２２０においてＣＰＵ３２は、ＷＦＤ方式の無線通信を確立するための各種の情報を通信中であることをユーザに報知する。例えば、「ＷＦＤ方式の無線通信を確立中です」のような文字列をパネル３９に表示させてもよい。Ｓ２２４においてＣＰＵ３２は、ＮＦＣ方式の無線通信１５３を介して通信端末装置１００から、ＷＦＤ接続開始情報を受信したか否かを判断する。ＷＦＤ接続開始情報は、ＷＦＤ方式の無線通信１５５を確立する処理を通信端末装置１００で開始したことを、ＭＦＰ５１へ報知するための情報である。否定判断される場合（Ｓ２２４：ＮＯ）にはＳ２２４へ戻り、肯定判断される場合（Ｓ２２４：ＹＥＳ）にはＳ２２６へ進む。Ｓ２２６においてＣＰＵ３２は、ＮＦＣ方式の無線通信１５３を介して通信端末装置１００へ、接続開始応答情報を送信する。接続開始応答情報は、ＷＦＤ方式の無線通信１５５を確立する処理をＭＦＰ５１で開始したことを、通信端末装置１００へ報知するための情報である。Ｓ２２８においてＣＰＵ３２は、ＷＦＤ方式の無線通信１５５を確立する。
【００３６】
Ｓ２３０においてＣＰＵ３２は、ＷＦＤ方式の無線通信１５５を介して通信端末装置１００から、処理識別情報を受信したか否かを判断する。処理識別情報は、ＭＦＰ５１で実行するデータ処理の内容を識別するための情報である。データ処理の内容は、通信端末装置１００を操作しているユーザによって指定されるとしてもよい。データ処理の内容には、ファイル記憶処理や印刷処理が含まれる。ファイル記憶処理は、複数の記憶領域のうちから選択された記憶領域に、通信端末装置１００から受信したファイルである受信ファイルを記憶させる処理である。印刷処理は、受信ファイルを用いてプリンタ１９に印刷を実行させる処理である。処理識別情報には、受信ファイルの数を示すファイル数情報が含まれている。また、処理識別情報には、高セキュリティファイルを識別するセキュリティ情報が含まれていてもよい。例えば、受信ファイルの数が複数の場合、セキュリティ情報は、何件目に受信するファイルが高セキュリティファイルであるかを示す情報であってもよい。高セキュリティファイルは、機密性の高いファイルであり、例えば、個人情報の含まれたファイルなどが挙げられる。高セキュリティファイルの設定は、ファイルの作成時などに、予めユーザによって行われるとしてもよい。Ｓ２３０において否定判断される場合（Ｓ２３０：ＮＯ）にはＳ２３０へ戻り、肯定判断される場合（Ｓ２３０：ＹＥＳ）にはＳ２３２へ進む。
【００３７】
Ｓ２３２においてＣＰＵ３２は、データ処理の内容が、ファイル記憶処理であるか否かを判断する。否定判断される場合（Ｓ２３２：ＮＯ）には、Ｓ２３６へ進む。Ｓ２３６においてＣＰＵ３２は、印刷処理を実行する。印刷処理では、受信ファイルを用いた印刷処理がプリンタ１９で実行される。そしてＳ２１２へ戻る。
【００３８】
一方、Ｓ２３２において肯定判断される場合（Ｓ２３２：ＹＥＳ）には、Ｓ２３４へ進む。Ｓ２３４においてＣＰＵ３２は、ファイル記憶処理を実行する。
【００３９】
＜ファイル記憶処理＞
Ｓ２３４で行われるファイル記憶処理の内容について、図３および図４のフローを用いて説明する。Ｓ３１２においてＣＰＵ３２は、通信端末装置１００から受信した処理識別情報を、記憶部３３に記憶させる。Ｓ３１４においてＣＰＵ３２は、通信端末装置１００から受信予定のファイル数が複数であるか否かを判断する。この判断は、処理識別情報に含まれているファイル数情報に基づいて行われる。肯定判断される場合（Ｓ３１４：ＹＥＳ）には、Ｓ３１６へ進む。
【００４０】
Ｓ３１６においてＣＰＵ３２は、通信端末装置１００から受信するファイルに、高セキュリティファイルが含まれているか否かを判断する。この判断は、処理識別情報に含まれているセキュリティ情報に基づいて行われる。肯定判断される場合（Ｓ３１６：ＹＥＳ）には、Ｓ３１８へ進む。
【００４１】
Ｓ３１８においてＣＰＵ３２は、第１の記憶方法指定画面を、パネル３９に表示させる。図９に、第１の記憶方法指定画面２０１の表示例を示す。第１の記憶方法指定画面２０１は、ボタン画像Ｂ１およびＢ２を含んでいる。ボタン画像Ｂ１は、一括記憶処理を選択するための画像である。一括記憶処理は、受信ファイルが複数存在する場合に、複数の受信ファイルを同一の記憶領域に記憶させる処理である。ボタン画像Ｂ２は、個別記憶処理を選択するための画像である。個別記憶処理は、受信ファイルが複数存在する場合に、複数の受信ファイルの各々を記憶させる記憶領域を、個別に指定する処理である。
【００４２】
また第１の記憶方法指定画面２０１には、受信ファイルに高セキュリティファイルが含まれていることを示す情報が表示される。図９の表示例では、領域Ｒ１に示す文字列が、第１の記憶方法指定画面２０１に表示される。そしてＳ３３２へ進む。
【００４３】
一方、Ｓ３１６において否定判断される場合（Ｓ３１６：ＮＯ）には、Ｓ３２０へ進む。Ｓ３２０においてＣＰＵ３２は、第２の記憶方法指定画面２０２をパネル３９に表示させる。図１０に、第２の記憶方法指定画面２０２の表示例を示す。第２の記憶方法指定画面２０２は、ボタン画像Ｂ１およびＢ２を含んでいる。ボタン画像Ｂ１およびＢ２の内容は説明済みであるため、ここでは説明を省略する。なお、第２の記憶方法指定画面２０２には、受信ファイルに高セキュリティファイルが含まれていることを示す情報は表示されない。そしてＳ３３２へ進む。
【００４４】
一方、Ｓ３１４において、通信端末装置１００から受信するファイルの数が１つであると判断される場合（Ｓ３１４：ＮＯ）には、記憶方法を指定する必要がない場合と判断され、Ｓ３２２へ進む。Ｓ３２２においてＣＰＵ３２は、通信端末装置１００から受信するファイルに、高セキュリティファイルが含まれているか否かを判断する。この判断は、処理識別情報に含まれているセキュリティ情報に基づいて行われる。肯定判断される場合（Ｓ３２２：ＹＥＳ）には、Ｓ３２４へ進む。
【００４５】
Ｓ３２４においてＣＰＵ３２は、第１の記憶領域選択画面をパネル３９に表示させる。図１１に、第１の記憶領域選択画面２１１の表示例を示す。第１の記憶領域選択画面２１１は、ボタン画像Ｂ１１およびＢ１２を含んでいる。ボタン画像Ｂ１１は、受信ファイルを記憶させる領域として、セキュア記憶領域２４を選択するための画像である。ボタン画像Ｂ１２は、受信ファイルを記憶させる領域として、外部記憶領域２５を選択するための画像である。
【００４６】
一方、Ｓ３２２において否定判断される場合（Ｓ３２２：ＮＯ）には、Ｓ３２６へ進む。Ｓ３２６においてＣＰＵ３２は、第２の記憶領域選択画面２１２をパネル３９に表示させる。図１２に、第２の記憶領域選択画面２１２の表示例を示す。第２の記憶領域選択画面２１２は、ボタン画像Ｂ２１およびＢ２２を含んでいる。ボタン画像Ｂ２１は、受信ファイルを記憶させる領域として、通常記憶領域２３を選択するための画像である。ボタン画像Ｂ２２は、受信ファイルを記憶させる領域として、外部記憶領域２５を選択するための画像である。そしてＳ３３２へ進む。
【００４７】
Ｓ３３２においてＣＰＵ３２は、ＷＦＤ方式の無線通信１５５を介して通信端末装置１００へ、受信可能通知情報を送信する。受信可能通知情報は、ＭＦＰ５１がデータ受信が可能な状態であることを、通信端末装置１００へ通知するための情報である。
【００４８】
Ｓ３３４においてＣＰＵ３２は、ファイル数カウント値Ｄ、および、記憶領域カウント値Ｕを、「１」にリセットする。ファイル数カウント値Ｄは、受信したファイルの数のカウント値である。記憶領域カウント値Ｕは、受信ファイルを記憶させる記憶領域がユーザによって幾つ選択されたかを示す値である。そして、通信端末装置１００からのファイル受信の開始を待機するとともに、ユーザによるボタン入力部３８への操作入力を待機する状態となる。
【００４９】
Ｓ３３６〜Ｓ３５０は、データ受信処理（Ｓ３４０）、記憶方法指定処理（Ｓ３４２）、記憶領域選択処理（Ｓ３４４）、を並行して受け付けるためのステップである。具体的には、Ｓ３３６においてＣＰＵ３２は、イベント発生を待機する。そして、データ受信のイベントが発生すれば、データ受信処理（Ｓ３４０）へ進む。また、記憶方法を指定する操作の入力を受け付けるイベントが発生すれば、記憶方法指定処理（Ｓ３４２）へ進む。また、記憶領域を選択する操作の入力を受け付けるイベントが発生すれば、記憶領域選択処理（Ｓ３４４）へ進む。これらの処理が終わるとまたＳ３３６へ戻り、ＣＰＵ３２はイベント発生を待機する。
【００５０】
Ｓ３３６においてＣＰＵ３２は、イベントが発生したか否かを判断する。否定判断される場合（Ｓ３３６：ＮＯ）にはＳ３３６へ戻り、肯定判断される場合（Ｓ３３６：ＹＥＳ）にはＳ３３８へ進む。
【００５１】
Ｓ３３８においてＣＰＵ３２は、発生したイベントの内容を判断する。発生イベントがデータ受信である場合（Ｓ３３８：データ受信）には、Ｓ３４０へ進み、データ受信処理が実行される。データ受信処理は、通信端末装置１００からデータを受信し、一時記憶領域２６に記憶させる処理である。データ受信処理の詳細内容は、後述する。一方、発生イベントが操作入力受け付けである場合（Ｓ３３８：操作入力受け付け）には、Ｓ３４１へ進む。
【００５２】
Ｓ３４１においてＣＰＵ３２は、入力された操作内容を判断する。操作内容が、記憶方法を指定する操作である場合（Ｓ３４１：記憶方法指定）には、Ｓ３４２へ進んで、記憶方法指定処理を実行する。記憶方法指定処理は、一括記憶処理と個別記憶処理の何れを実行するかについての指定を受け付ける処理である。記憶方法指定処理の詳細内容は、後述する。また入力操作が、記憶領域を選択する操作である場合（Ｓ３４１：記憶領域選択）には、Ｓ３４４へ進んで、記憶領域選択処理を実行する。記憶領域選択処理は、受信ファイルを記憶させる記憶領域の選択を受け付ける処理である。記憶領域選択処理の詳細内容は、後述する。
【００５３】
Ｓ３４０、Ｓ３４２、Ｓ３４４のうちの何れかの処理が終了すると、Ｓ３４６へ進む。Ｓ３４６においてＣＰＵ３２は、通信端末装置１００から受信する全ての受信ファイルの各々に対して、記憶領域が選択されたか否かを判断する。否定判断される場合（Ｓ３４６：ＮＯ）には、Ｓ３３６へ戻る。一方、肯定判断される場合（Ｓ３４６：ＹＥＳ）には、記憶領域を選択するというユーザ操作が完了し、あとはファイルの受信完了を待つ場合であると判断される。そして、Ｓ３４８へ進む。
【００５４】
Ｓ３４８においてＣＰＵ３２は、通信端末装置１００からファイルを受信中であることを報知する。例えば、「ファイル受信中」の文字列を、パネル３９に表示してもよい。Ｓ３５０においてＣＰＵ３２は、全てのファイルを受信したか否かを判断する。否定判断される場合（Ｓ３５０：ＮＯ）には、Ｓ３３６へ戻る。一方、肯定判断される場合（Ｓ３５０：ＹＥＳ）には、全てのファイルの受信が完了した場合であると判断され、Ｓ３５２へ進む。
【００５５】
Ｓ３５２においてＣＰＵ３２は、一時記憶領域２６内のファイル記憶領域に一時的に記憶させていた受信ファイルの全てを、記憶領域選択処理で選択された記憶領域に記憶させる。その後、一時記憶領域２６に記憶させていた受信ファイルの全てを消去する。これにより、受信ファイルを移動させる処理が完了する。
【００５６】
Ｓ３５４においてＣＰＵ３２は、ＷＦＤ方式の無線通信１５５を介して通信端末装置１００へ、処理結果通知情報を送信する。処理結果通知情報は、通信端末装置１００から送信されたファイルの全てを受信して記憶する処理が、成功したか否かを通知するための情報である。これにより、ファイル記憶処理（Ｓ２３４）が完了し、Ｓ２１２へ戻る。
【００５７】
＜データ受信処理＞
Ｓ３４０で行われるデータ受信処理の内容を、図５のフローを用いて説明する。データ受信処理では、１つのファイルが複数の分割データ（例：パケットデータ）に分割されて受信される。Ｓ４１２においてＣＰＵ３２は、ファイルの先頭部分の分割データを受信したか否かを判断する。否定判断される場合（Ｓ４１２：ＮＯ）には、現在受信中のファイルを構成する１の分割データを受信した場合であると判断され、Ｓ４１６へ進む。一方、肯定判断される場合（Ｓ４１２：ＹＥＳ）には、次の新たなファイルの受信が開始された場合であると判断され、Ｓ４１４へ進む。
【００５８】
Ｓ４１４においてＣＰＵ３２は、ファイル数カウント値Ｄを読み出し、一時記憶領域２６内に、Ｄ件目の受信ファイルを記憶させるためのファイル記憶領域を確保する。そしてＳ４１６へ進む。Ｓ４１６においてＣＰＵ３２は、受信したデータを、Ｓ４１４で確保したファイル記憶領域に記憶させる。
【００５９】
Ｓ４１８においてＣＰＵ３２は、Ｄ件目の受信ファイルを構成する全ての分割データを受信したか否かを判断する。否定判断される場合（Ｓ４１８：ＮＯ）には、Ｓ３４６（図４）へ進む。一方、肯定判断される場合（Ｓ４１８：ＹＥＳ）には、Ｓ４１９へ進む。
【００６０】
Ｓ４１９においてＣＰＵ３２は、ＷＦＤ方式の無線通信１５５を介して通信端末装置１００へ、受信完了通知情報を送信する。受信完了通知情報は、ＭＦＰ５１が１件分のファイルの受信を完了したことを、通信端末装置１００へ通知するための情報である。Ｓ４２０においてＣＰＵ３２は、一時記憶領域２６内のファイル記憶領域に記憶させたファイルに、ファイル名を付加する。ファイル名には、各種の文字列を使用することが可能である。例えば、通信端末装置１００で使用されていたファイル名を用いてもよい。また、日付および通し番号などを用いて、ＣＰＵ３２がファイル名を自動生成してもよい。Ｓ４２２においてＣＰＵ３２は、ファイル数カウント値Ｄを１カウントアップする。そしてＳ３４６（図４）へ進む。
【００６１】
＜記憶方法指定処理＞
Ｓ３４２で行われる記憶方法指定処理の内容を、図６のフローを用いて説明する。Ｓ５１４においてＣＰＵ３２は、Ｓ３４１で指定された記憶方法を示す記憶方法識別情報を、記憶部３３に一時的に記憶させる。Ｓ５３２において、ユーザによって指定された記憶方法が「個別記憶」であると判断される場合には（Ｓ５３２：個別記憶）、Ｓ５３４へ進む。Ｓ５３４においてＣＰＵ３２は、記憶領域カウント値Ｕを読み出す。そして、Ｕ件目の受信ファイルは、セキュリティの高いファイルであるか否かを判断する。この判断は、処理識別情報に含まれているセキュリティ情報に基づいて行われてもよい。肯定判断される場合（Ｓ５３４：ＹＥＳ）には、Ｓ５３８へ進み、第３の記憶領域選択画面２２１（図１３参照）をパネル３９に表示させる。第３の記憶領域選択画面２２１の表示内容は、前述した第１の記憶領域選択画面２１１の表示内容と同様であるため、説明を省略する。また図１３の領域Ｒ１１に示すように、Ｕ件目の受信ファイルの記憶領域を選択する操作を受け付けていることを示す情報が、表示される。そしてＳ３４６（図４）へ進む。
【００６２】
一方、Ｓ５３４において否定判断される場合（Ｓ５３４：ＮＯ）には、Ｓ５３６へ進み、第４の記憶領域選択画面２２２（図１４参照）をパネル３９に表示させる。第４の記憶領域選択画面２２２の表示内容は、前述した第２の記憶領域選択画面２１２の表示内容と同様であるため、説明を省略する。また図１４の領域Ｒ１２に示すように、Ｕ件目の受信ファイルの記憶領域を選択する操作を受け付けていることを示す情報が、表示される。そしてＳ３４６（図４）へ進む。
【００６３】
また、Ｓ５３２において、ユーザによって指定された記憶方法が「一括記憶」であると判断される場合には（Ｓ５３２：一括記憶）、Ｓ５４２へ進む。Ｓ５４２においてＣＰＵ３２は、通信端末装置１００から受信するファイルに、高セキュリティファイルが含まれているか否かを判断する。肯定判断される場合（Ｓ５４２：ＹＥＳ）には、Ｓ５４４へ進み、第１の記憶領域選択画面２１１（図１１参照）をパネル３９に表示させる。また、否定判断される場合（Ｓ５４２：ＮＯ）には、Ｓ５４６へ進み、第２の記憶領域選択画面２１２（図１２参照）をパネル３９に表示させる。そしてＳ３４６（図４）へ進む。
【００６４】
＜記憶領域選択処理＞
Ｓ３４４で行われる記憶領域選択処理の内容を、図７のフローを用いて説明する。Ｓ６００において、ユーザによって選択された記憶領域が外部記憶領域２５であると判断される場合（Ｓ６００：外部記憶領域）には、Ｓ６０４へ進む。Ｓ６０４においてＣＰＵ３２は、外部記憶部３５がＭＦＰ５１に装着済みであるか否かを判断する。肯定判断される場合（Ｓ６０４：ＹＥＳ）にはＳ６１２へ進み、否定判断される場合（Ｓ６０４：ＮＯ）にはＳ６０８へ進む。Ｓ６０８においてＣＰＵ３２は、外部記憶部３５をＭＦＰ５１に装着することをユーザに報知する。例えば、「メモリーカードを差し込んでください」などの文字列をパネル３９に表示させてもよい。そしてＳ６０４へ戻る。
【００６５】
一方、Ｓ６００において、ユーザによって選択された記憶領域が通常記憶領域２３またはセキュア記憶領域２４であると判断される場合（Ｓ６００：通常記憶領域またはセキュア記憶領域）には、Ｓ６１２へ進む。Ｓ６１２においてＣＰＵ３２は、ユーザによって指定された記憶方法が「個別記憶」であるか「一括記憶」であるかを判断する。この判断は、記憶部３３に記憶されている記憶方法識別情報に基づいて行なわれる。指定された記憶方法が「一括記憶」である場合（Ｓ６１２：一括記憶）には、Ｓ６１６へ進む。Ｓ６１６においてＣＰＵ３２は、ユーザに指定された記憶領域に全ての受信ファイルを記憶させることを示す記憶先領域情報を、記憶部３３に記憶させる。そしてＳ３４６（図４）へ進む。なお、本実施形態では、Ｓ３１４において否定判断される場合（Ｓ３１４：ＮＯ）、すなわち、受信予定のファイル数が１である場合、Ｓ６１２においてＣＰＵ３２は、指定された記憶方法が「個別記憶」であると判断する。
【００６６】
一方、Ｓ６１２において、指定された記憶方法が「個別記憶」であると判断される場合（Ｓ６１２：個別記憶）には、Ｓ６２０へ進む。Ｓ６２０においてＣＰＵ３２は、ユーザに指定された記憶領域にＵ件目の受信ファイルを記憶させることを示す記憶先領域情報を、記憶部３３に記憶させる。Ｓ６２４においてＣＰＵ３２は、記憶領域カウント値Ｕを１カウントアップする。
【００６７】
Ｓ６２８においてＣＰＵ３２は、記憶領域の指定がまだ完了していない受信ファイルが存在するか否かを判断する。否定判断される場合（Ｓ６２８：ＮＯ）にはＳ３４６（図４）へ進み、肯定判断される場合（Ｓ６２８：ＹＥＳ）にはＳ６３４へ進む。Ｓ６３４、Ｓ６３６、Ｓ６３８の各ステップの内容は、前述したＳ５３４、Ｓ５３６、Ｓ５３８の各ステップの内容と同様であるため、説明を省略する。
【００６８】
＜通信端末装置１００の動作＞
通信端末装置１００の動作を、図８のフローを用いて説明する。図８のフローは、通信端末装置１００の電源が投入されることに応じて開始される。Ｓ７００においてＣＰＵ１０６は、ユーザがアプリケーション１２１を起動し、タッチパネル１０３を操作して送信対象のファイルを選択する操作を実行したか否かを判断する。否定判断される場合（Ｓ７００：ＮＯ）にはＳ７００へ戻り、肯定判断される場合（Ｓ７００：ＹＥＳ）にはＳ７０２へ進む。
【００６９】
Ｓ７０２においてＣＰＵ１０６は、通信端末装置１００がＭＦＰ５１にタッチされたか否かを判断する。具体的には、ＭＦＰ５１のＮＦＣ通信Ｉ／Ｆ３６が、通信端末装置１００のＮＦＣ通信Ｉ／Ｆ１１２を中心とする所定距離内に近接したか否かを判断する。否定判断される場合（Ｓ７０２：ＮＯ）にはＳ７０２へ戻り、肯定判断される場合（Ｓ７０２：ＹＥＳ）にはＳ７０６へ進む。Ｓ７０６においてＣＰＵ１０６は、ＮＦＣ通信Ｉ／Ｆ１１２に、ＮＦＣ方式の無線通信１５３を確立させる。
【００７０】
Ｓ７１２においてＣＰＵ１０６は、ＮＦＣ方式の無線通信１５３を介してＭＦＰ５１から、ＷＦＤ接続設定情報を受信したか否かを判断する。否定判断される場合（Ｓ７１２：ＮＯ）にはＳ７１２へ戻り、肯定判断される場合（Ｓ７１２：ＹＥＳ）にはＳ７１６へ進む。Ｓ７１６においてＣＰＵ１０６は、受信したＷＦＤ接続設定情報を記憶部１０９に記憶させる。
【００７１】
Ｓ７２０においてＣＰＵ１０６は、ＮＦＣ方式の無線通信１５３を介してＭＦＰ５１へ、ＷＦＤ接続開始情報を送信する。Ｓ７２４においてＣＰＵ１０６は、ＮＦＣ方式の無線通信１５３を介してＭＦＰ５１から、接続開始応答情報を受信したか否かを判断する。否定判断される場合（Ｓ７２４：ＮＯ）にはＳ７２４へ戻り、肯定判断される場合（Ｓ７２４：ＹＥＳ）にはＳ７２６へ進む。
【００７２】
Ｓ７２６においてＣＰＵ１０６は、ＷＦＤ方式の無線通信１５５を無線ＬＡＮ＿Ｉ／Ｆ１０５に確立させる。ＷＦＤ方式の無線通信１５５は、Ｓ７１６で記憶されたＷＦＤ接続設定情報に基づいて確立される。
【００７３】
Ｓ７２８においてＣＰＵ１０６は、ＮＦＣ方式の無線通信１５３を介してＭＦＰ５１へ、処理識別情報を送信する。Ｓ７３２においてＣＰＵ１０６は、ＷＦＤ方式の無線通信１５５を介してＭＦＰ５１から、受信可能通知情報を受信したか否かを判断する。否定判断される場合（Ｓ７３２：ＮＯ）にはＳ７３２へ戻り、肯定判断される場合（Ｓ７３２：ＹＥＳ）にはＳ７３６へ進む。
【００７４】
Ｓ７３６においてＣＰＵ１０６は、ＷＦＤ方式の無線通信１５５を介してＭＦＰ５１へ、１件分のファイルを送信する。Ｓ７４０においてＣＰＵ１０６は、ＷＦＤ方式の無線通信１５５を介してＭＦＰ５１から、受信完了通知情報を受信したか否かを判断する。  否定判断される場合（Ｓ７４０：ＮＯ）にはＳ７４０へ戻り、肯定判断される場合Ｓ（７４０：ＹＥＳ）にはＳ７４４へ進む。Ｓ７４４においてＣＰＵ１０６は、全てのファイルを送信したか否かを判断する。否定判断される場合（Ｓ７４４：ＮＯ）にはＳ７３６へ戻り、次の１件分のファイルの送信を開始する。一方、肯定判断される場合（Ｓ７４４：ＹＥＳ）には、Ｓ７４８へ進む。
【００７５】
Ｓ７４８においてＣＰＵ１０６は、ＷＦＤ方式の無線通信１５５を介してＭＦＰ５１から、処理結果通知情報を受信したか否かを判断する。否定判断される場合（Ｓ７４８：ＮＯ）にはＳ７４８へ戻り、肯定判断される場合（Ｓ７４８：ＹＥＳ）にはＳ７５２へ進む。Ｓ７５２においてＣＰＵ１０６は、ファイルをＭＦＰ５１へ受信して処理を実行させる処理が成功したか否かについての結果を、表示部１０２に表示させる。そして、Ｓ７００へ戻る。
【００７６】
＜動作具体例＞
図１５のシーケンス図を用いて、ネットワーク１０の動作具体例を説明する。この動作具体例では、ファイル記憶処理が行われる場合を説明する。また、通信端末装置１００からＭＦＰ５１へ、２件のファイルが送信される場合を説明する。また、１件目のファイルが高セキュリティ通信ファイルである場合を説明する。また、各ファイルが、複数のパケットデータに分割されて送信される場合を説明する。
【００７７】
ユーザが通信端末装置１００をＭＦＰ５１にタッチさせると、タッチが検出される（Ｓ２１６：ＹＥＳ、Ｓ７０２：ＹＥＳ）。ＮＦＣ方式の無線通信１５３が開始され（Ｓ２１７、Ｓ７０６）、ＭＦＰ５１から通信端末装置１００へ、ＷＦＤ接続設定情報が送信される（Ｓ２１８、Ｓ７１２：ＹＥＳ）。ＮＦＣ方式の無線通信１５３を介して、通信端末装置１００からＭＦＰ５１へ、ＷＦＤ接続開始情報が送信される（Ｓ７２０、Ｓ２２４：ＹＥＳ）。ＮＦＣ方式の無線通信１５３を介して、ＭＦＰ５１から通信端末装置１００へ、接続開始応答情報が送信される（Ｓ２２６、Ｓ７２４：ＹＥＳ）。そして、ＷＦＤ方式の無線通信１５５が確立される（Ｓ２２８、Ｓ７２６）。
【００７８】
ＷＦＤ方式の無線通信１５５を介して、通信端末装置１００からＭＦＰ５１へ、処理識別情報が送信される（Ｓ７２８、Ｓ２３０：ＹＥＳ）。本動作具体例では、処理識別情報は、データ処理の内容がファイル記憶処理であることを示している。また処理識別情報には、２件のファイルが送信されてくることを示すファイル数情報と、１件目のファイルが高セキュリティファイルであることを示すセキュリティ情報と、が含まれている。ＭＦＰ５１は、データ処理の内容がファイル記憶処理であると判断し（Ｓ２３２：ＹＥＳ）、ファイル記憶処理を開始する（Ｓ２３４）。
【００７９】
記憶ファイル数が複数であり（Ｓ３１４：ＹＥＳ）、受信ファイルに高セキュリティファイルが含まれているため（Ｓ３１６：ＹＥＳ）、ＭＦＰ５１は、第１の記憶方法指定画面２０１（図９参照）をパネル３９に表示させる（Ｓ３１８）。また、ＷＦＤ方式の無線通信１５５を介して、ＭＦＰ５１から通信端末装置１００へ、受信可能通知情報が送信される（Ｓ３３２、Ｓ７３２：ＹＥＳ）。ＷＦＤ方式の無線通信１５５を介して、通信端末装置１００からＭＦＰ５１へ、１件目のファイルの送信が開始される（Ｓ７３６）。ＭＦＰ５１は、データ受信のイベント発生を検出し（Ｓ３３６：Ｙ、Ｓ３３８：データ受信）、データ受信処理を開始する（Ｓ３４０）。
【００８０】
新規ファイルである１件目のファイルの先頭データを受信したため（Ｓ４１２：ＹＥＳ）、ファイル数カウント値Ｄが「１」である受信ファイル（すなわち、１件目の通信ファイル）を記憶させるためのファイル記憶領域を、一時記憶領域２６内に確保する（Ｓ４１４）。そして、確保したファイル記憶領域に、受信した先頭データを記憶させる（Ｓ４１６）。１件目のファイルを構成する複数のパケットデータを受信中の期間は（Ｓ４１８：ＮＯ）、パケットデータの受信を繰り返すためのループ処理（Ｓ３４６：ＮＯ、Ｓ３３６：ＹＥＳ、Ｓ３３８：データ受信、Ｓ４１２：ＮＯ、Ｓ４１６を参照）を実行する。そして、１件目のファイルを構成する全てのパケットデータを受信し終えると（Ｓ４１８：ＹＥＳ）、ＷＦＤ方式の無線通信１５５を介して、ＭＦＰ５１から通信端末装置１００へ、受信完了通知情報が送信される（Ｓ４１９、Ｓ７４０：ＹＥＳ）。
【００８１】
ここで、１件目のファイルの受信中に、第１の記憶方法指定画面２０１（図９参照）のボタン画像Ｂ２をユーザがタッチする場合を説明する。この場合、ＭＦＰ５１は、操作入力の受け付けのイベント発生を検出する（Ｓ３３６：Ｙ、Ｓ３３８：操作入力受け付け）。また、記憶方法を指定する操作であると判断する（Ｓ３４１：記憶方法指定）。よって、記憶方法指定処理を実行する（Ｓ３４２）。
【００８２】
指定された記憶方法が「個別記憶」であると判断され（Ｓ５３２：個別記憶）、１件目の受信ファイルが高セキュリティファイルであると判断される（Ｓ５３４：ＹＥＳ）。よってＭＦＰ５１は、第３の記憶領域選択画面２２１（図１３参照）をパネル３９に表示させ（Ｓ５３８）、ユーザの入力を待ち受ける。このとき、図１３の領域Ｒ１１には、１件目の受信ファイルの記憶領域を選択する操作を受け付けることを示す情報が表示される。
【００８３】
ここで、第３の記憶領域選択画面２２１（図１３参照）のボタン画像Ｂ１１をユーザがタッチする場合を説明する。この場合、ＭＦＰ５１は、操作入力の受け付けのイベント発生を検出する（Ｓ３３６：Ｙ、Ｓ３３８：操作入力受け付け）。また、記憶領域を選択する操作であると判断する（Ｓ３４１：記憶領域選択）。よって、記憶領域選択処理を実行する（Ｓ３４４）。
【００８４】
指定された記憶領域がセキュア記憶領域２４であり（Ｓ６００：セキュア記憶領域）、指定された記憶方法が「個別記憶」である（Ｓ６１２：個別記憶）。よって、セキュア記憶領域２４に１件目の受信ファイルを記憶させることを示す記憶先領域情報を、記憶部３３に記憶させる（Ｓ６２０）。また、記憶領域カウント値Ｕが「２」へカウントアップされる（Ｓ６２４）。２件目の受信ファイルに対して記憶領域の指定が完了しておらず（Ｓ６２８：ＹＥＳ）、２件目の受信ファイルは高セキュリティファイルではない。そのため（Ｓ６３４：ＮＯ）、ＭＦＰ５１は、第４の記憶領域選択画面２２２（図１４参照）をパネル３９に表示させ（Ｓ６３６）、ユーザの入力を待ち受ける。このとき、図１４の領域Ｒ１２には、２件目の受信ファイルの記憶領域を選択する操作を受け付けることを示す情報が表示される。
【００８５】
ここで、第４の記憶領域選択画面２２２（図１４参照）のボタン画像Ｂ２１をユーザがタッチする場合を説明する。この場合、ＭＦＰ５１は、操作入力の受け付けのイベント発生を検出する（Ｓ３３６：Ｙ、Ｓ３３８：操作入力受け付け）。また、記憶領域を選択する操作であると判断する（Ｓ３４１：記憶領域選択）。よって、記憶領域選択処理を実行する（Ｓ３４４）。
【００８６】
指定された記憶領域が通常記憶領域２３であり（Ｓ６００：通常記憶領域）、指定された記憶方法が「個別記憶」である（Ｓ６１２：個別記憶）。よって、通常記憶領域２３に２件目の受信ファイルを記憶させることを示す記憶先領域情報を、記憶部３３に記憶させる（Ｓ６２０）。また、記憶領域カウント値Ｕが「３」へカウントアップされる（Ｓ６２４）。そして、２件分の全ての受信ファイルに対して記憶領域の指定が完了したため（Ｓ６２８：ＮＯ、Ｓ３４６：ＹＥＳ）、「データ受信中」の文字列がパネル３９に表示される（Ｓ３４８）。
【００８７】
１件目のファイルの受信が完了すると（Ｓ４１８：ＹＥＳ）、ＭＦＰ５１から通信端末装置１００へ受信完了通知情報が送信される（Ｓ４１９、Ｓ７４０：ＹＥＳ）。通信端末装置１００からＭＦＰ５１へ、２件目のファイルが送信される（Ｓ７３６、Ｓ３４０）。２件目のファイルの送信処理の内容は、前述した１件目のファイルの送信処理の内容と同様であるため、説明を省略する。
【００８８】
２件目のファイルの受信が完了すると、全ての受信ファイルの受信が完了する（Ｓ３５０：ＹＥＳ）。一時記憶領域２６内のファイル記憶領域に記憶させていた１件目の受信ファイルを、セキュア記憶領域２４に記憶させる。また、一時記憶領域２６内のファイル記憶領域に記憶させていた２件目の受信ファイルを、通常記憶領域２３に記憶させる。その後、一時記憶領域２６内から２件分の受信ファイルを消去する（Ｓ３５２）。ＷＦＤ方式の無線通信１５５を介してＭＦＰ５１から通信端末装置１００へ、処理結果通知情報が送信されると（Ｓ３５４、Ｓ７４８：ＹＥＳ）、２件分のファイルがＭＦＰ５１に記憶させる処理が成功したことが、通信端末装置１００の表示部１０２に表示される（Ｓ７５２）。
【００８９】
＜効果＞
通信端末装置１００をＭＦＰ５１に近接させることで、当該ＭＦＰ５１を、通信端末装置１００とファイルを通信するＭＦＰに決定することができる（Ｓ２１７、Ｓ７０６）。そして、データ受信処理（Ｓ３４０）に移行することができる。また、ＭＦＰ５１は、データ受信処理と並行して、記憶方法指定処理（Ｓ３４２）や記憶領域選択処理（Ｓ３４４）を実行することができる。これにより、記憶方法指定処理や記憶領域選択処理を実行している期間を、データ受信処理を実行する期間としても活用することができる。よって、データ受信処理にかかるトータルの通信時間を短縮化することができるため、ユーザの操作性向上させることが可能となる。
【００９０】
本明細書に記載されているＭＦＰ５１では、通信端末装置１００から受信したファイルをＭＦＰ５１に記憶させるファイル記憶処理（Ｓ２３４）を実行する場合には、第１の記憶領域選択画面２１１〜第４の記憶領域選択画面２２２の何れかをパネル３９に表示させることができる。これにより、通信端末装置１００から受信したファイルを、ユーザが指定する記憶領域に記憶させることが可能となる（Ｓ３５２）。
【００９１】
本明細書に記載されているＭＦＰ５１では、高セキュリティファイルを受信した場合には、受信ファイルをセキュア記憶領域２４に記憶させる操作の入力を受け付けるための画面（例：第１の記憶領域選択画面２１１、第３の記憶領域選択画面２２１）を、パネル３９に表示させることができる（Ｓ３２４、Ｓ５３８、Ｓ５４４、Ｓ６３８）。これにより、高セキュリティファイルをセキュア記憶領域２４に記憶させる処理が簡易化されるため、ユーザの利便性を高めることができる。
【００９２】
本明細書に記載されているＭＦＰ５１では、受信ファイルが複数存在する場合には（Ｓ３１４：ＹＥＳ）、一括記憶処理または個別記憶処理の何れを選択するかの入力を受け付けるための画面（例：第１の記憶方法指定画面２０１、第２の記憶方法指定画面２０２）を、パネル３９に表示させることができる（Ｓ３１８、Ｓ３２０）。これにより、一括記憶処理を選択することによって、受信ファイルを記憶させる記憶領域を選択する操作を簡略化することが可能となる。
【００９３】
本明細書に記載されているＭＦＰ５１では、外部記憶部３５がＭＦＰ５１に未装着である場合には（Ｓ６０４：Ｎ）、外部記憶部３５をＭＦＰ５１に装着することを報知する画像をパネル３９に表示させることができる（Ｓ６０８）。これにより、外部記憶領域２５にファイルを確実に記憶させることが可能となる。
【００９４】
本明細書に記載されているＭＦＰ５１では、全てのファイルを受信したことに応じて（Ｓ３５０：ＹＥＳ）、処理結果通知情報を通信端末装置１００へ送信することができる（Ｓ３５４）。これにより、通信端末装置１００を使用しているユーザが、ＭＦＰ５１のパネル３９を目視できない距離に離れている場合においても、当該ユーザへ、ファイル通信が完了したことを報知することが可能となる（Ｓ７５２）。
【００９５】
本明細書に記載されているＭＦＰ５１では、ＮＦＣ方式の無線通信１５３からＷＦＤ方式の無線通信１５５へ切り替わることに応じて（Ｓ２２８）、第１の記憶方法指定画面２０１、第２の記憶方法指定画面２０２、第１の記憶領域選択画面２１１、第２の記憶領域選択画面２１２などをパネル３９に表示することができる(Ｓ３１８、Ｓ３２０、Ｓ３２４、Ｓ３２６)。これにより、ＷＦＤ方式の無線通信１５５が開始されたことをユーザに報知することが可能となる。
【００９６】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。以下に変形例を説明する。
【００９７】
＜変形例＞
ＮＦＣ方式の無線通信１５３が確立することに応じて（Ｓ２１７）、ＮＦＣ方式の無線通信１５３またはＷＦＤ方式の無線通信１５５の何れの通信経路を通信端末装置１００とのファイルの通信に使用するかの選択を受け付けるための通信経路選択受付画面を、パネル３９に表示させてもよい。通信経路選択受付画面は、例えば、「通信経路を選択してください」などの文字列や、「ＮＦＣで通信」および「ＷＦＤで通信」のボタン画像を含んでいてもよい。そして、ＮＦＣ方式の無線通信１５３が選択された場合には、Ｓ２１７〜Ｓ２２８を省略するとともに、以後の通信ではＮＦＣ方式の無線通信１５３を用いるとしてもよい。一方、ＷＦＤ方式の無線通信１５５が選択された場合には、Ｓ２１８へ進むとしてもよい。これにより、データ通信に使用する通信経路を、ユーザ操作により決定することが可能となる。また、ＮＦＣ方式の無線通信１５３を用いてファイル通信を実行する場合には、ＷＦＤ方式の無線通信を確立するための処理を省略することができるため、通信処理の簡略化が可能となる。
【００９８】
通信端末装置１００をＭＦＰ５１にタッチさせることに応じて開始される通信の規格は、ＮＦＣに限られない。Transfer Jet（登録商標）などの規格を採用することも可能である。また、Ｓ２２８において確立される通信経路は、ＷＦＤ方式の無線通信１５５に限られない。無線ＬＡＮ方式の無線通信１５１および１５４を介した、インフラストラクチャーモードの通信経路を用いることも可能である。
【００９９】
Ｓ３１４〜Ｓ３２０を省略し、Ｓ３１２からＳ３２２へ進むとしてもよい。これにより、受信予定のファイル数が複数である場合には、常に一括記憶処理を実行させることができる。よって、ユーザに記憶方法を指定させる手間を省かせることができる。また、Ｓ３５４、Ｓ７４８およびＳ７５２を省略してもよい。また、Ｓ２２４およびＳ２２６を省略し、Ｓ２２０からＳ２２８へ進むとしてもよい。これにより、ＷＦＤ接続設定情報を送信（Ｓ２１８）してからＷＦＤ方式の無線通信１５５が確立（Ｓ２２８）されるまでの時間を短縮化することができる。以上より、一般的に言うと、ＭＦＰ５１のＣＰＵ３２は、「第１表示制御手段」と、「第１取得手段」と、「データ処理手段」と、を少なくとも実行すれば良い。具体例としては、ＣＰＵ３２は、「Ｓ３１８、Ｓ３２０、Ｓ３２４、Ｓ３２６、Ｓ５３８、Ｓ５３６、Ｓ５４４、Ｓ５４６、Ｓ６３６、Ｓ６３８」の何れか１つと、「Ｓ３４０」と、「Ｓ３５２、Ｓ２３６」の何れか一方と、を少なくとも実行すればよい。
【０１００】
記憶領域選択処理で選択された記憶領域に受信ファイルを記憶させるタイミングは、通信端末装置１００から全ての受信ファイルを受信した場合に限定されない。例えば、通信端末装置１００から受信した１の受信ファイルの記憶領域が、記憶領域選択処理により選択済であることに応じて、当該受信ファイルを、選択された記憶領域に記憶させてもよい。係る場合、データ受信処理と並行して、記憶領域選択処理で選択された記憶領域に受信ファイルを記憶させる処理を行うことができる。
【０１０１】
Ｓ３４２で行われる記憶方法指定処理や、Ｓ３４４で行われる記憶領域選択処理は、各種の処理であってよい。例えば、データ処理の内容が印刷処理である場合には、プリンタ１９で印刷を実行する際の各種の設定（例：用紙サイズ、解像度、カラーまたはモノクロの選択）を受け付ける設定受付処理を実行してもよい。そしてＭＦＰ５１は、印刷用のファイルを受信するデータ受信処理と並行して、設定受付処理を実行するとしてもよい。
【０１０２】
ファイル通信の内容は、通信端末装置１００からＭＦＰ５１へファイルを送信する内容に限られない。例えば、ＭＦＰ５１から通信端末装置１００へファイルを送信する内容も含まれる。この場合、Ｓ２３０において、ファイル送信処理を実行することを指示する処理識別情報を、通信端末装置１００から受信するとしてもよい。ファイル送信処理は、スキャナ２０で生成したスキャンファイルや、記憶部３３に記憶されているファイルを、通信端末装置１００へ送信する処理である。そしてＭＦＰ５１は、ファイルを通信端末装置１００へ送信する処理と並行して、記憶方法指定処理（Ｓ３４２）や記憶領域選択処理（Ｓ３４４）を実行するとしてもよい。
【０１０３】
図９〜図１４のパネル３９の表示例は一例である。パネル３９には、様々な表示形態の画像が表示されるとしてもよい。例えば、図１１に示す第１の記憶領域選択画面２１１、及び、図１３に示す第３の記憶領域選択画面２２１に、通常記憶領域を選択するためのボタン画像Ｂ２１が含まれていてもよい。係る場合、少なくとも１の高セキュリティファイルを含む受信ファイルの記憶領域として、セキュア記憶領域及び外部記憶領域以外に、通常記憶領域も選択可能となる。
【０１０４】
通信端末装置１００は、外部装置の一例である。ＮＦＣ方式は、第１の通信方式の一例である。ＮＦＣ方式の無線通信１５３は、第１種の無線通信の一例である。ＮＦＣ通信Ｉ／Ｆ３６および１１２第１種の通信インターフェースの一例である。ＷＦＤ方式は、第２の通信方式の一例である。ＷＦＤ方式の無線通信１５５は、第２種の無線通信の一例である。無線ＬＡＮ＿Ｉ／Ｆ３４および１０５は、第２種の通信インターフェースの一例である。ＣＰＵ３２および１０６は、プロセッサの一例である。ＭＦＰ５１は、情報処理装置の一例である。記憶方法の指定内容、記憶領域の選択内容は、関連情報の一例である。第１の記憶方法指定画面２０１、第２の記憶方法指定画面２０２、第１の記憶領域選択画面２１１、第２の記憶領域選択画面２１２、第３の記憶領域選択画面２２１、第４の記憶領域選択画面２２２は、入力画面の一例である。パネル３９は、表示部の一例である。Ｓ３１８、Ｓ３２０、Ｓ３２４、Ｓ３２６、Ｓ５３８、Ｓ５３６、Ｓ５４４、Ｓ５４６、Ｓ６３６、Ｓ６３８を実行するＣＰＵは、第１表示制御手段の一例である。Ｓ３４０を実行するＣＰＵは、第１取得手段の一例である。ファイル記憶処理、印刷処理は、データ処理の一例である。Ｓ３５２、Ｓ２３６を実行するＣＰＵは、データ処理手段の一例である。ＷＦＤ接続設定情報は、第１設定情報の一例である。Ｓ２１８を実行するＣＰＵは、通信手段の一例である。Ｓ２３０を実行するＣＰＵは、第２取得手段の一例である。通常記憶領域２３は、第１記憶領域の一例である。セキュア記憶領域２４は、第２記憶領域の一例である。高セキュリティファイルは、特定通信データの一例である。ボタン画像Ｂ２１は、第１画像の一例である。ファイル数情報は、データ数情報の一例である。Ｓ２３０を実行するＣＰＵは、第３取得手段の一例である。Ｓ６０８を実行するＣＰＵは、第２表示制御手段の一例である。処理結果通知情報は、通信データを取得する処理が完了したことを報知する情報の一例である。プリンタ１９は、印刷部の一例である。
【符号の説明】
【０１０５】
２１：プログラム、３２および１０６：ＣＰＵ、３４および１０５：無線ＬＡＮ＿Ｉ／Ｆ、３６および１１２：ＮＦＣ通信Ｉ／Ｆ、５１：ＭＦＰ、１００：通信端末装置、１２１：プリント＆スキャンアプリケーション
【図１】
2014194594.tif 000003
【図２】
2014194594.tif 000004
【図３】
2014194594.tif 000005
【図４】
2014194594.tif 000006
【図５】
2014194594.tif 000007
【図６】
2014194594.tif 000008
【図７】
2014194594.tif 000009
【図８】
2014194594.tif 000010
【図９】
2014194594.tif 000011
【図１０】
2014194594.tif 000012
【図１１】
2014194594.tif 000013
【図１２】
2014194594.tif 000014
【図１３】
2014194594.tif 000015
【図１４】
2014194594.tif 000016
【図１５】
2014194594.tif 000017